(57)【要約】【課題】手を挿入するだけで、手の洗浄、消毒が自動的に行え、医療機関における院内感染、食品を取り扱う施設における食中毒を未然に防止できる手の洗浄消毒装置を提供することにある。【解決手段】  手を挿入する手挿入部１２及び手挿入部に連通する洗浄消毒室１３を構成した本体１１と、本体に設けられ洗浄流体、乾燥流体及び消毒流体を前記洗浄消毒室に向かって選択的に噴出可能な独立もしくは共通の流体シャワー機構１５と、流体シャワー機構に接続して設けられ洗浄流体を供給する洗浄流体供給路２７、乾燥流体供給路２４及び消毒流体供給路２６と、各供給路を選択的に開閉もしくは切換えて前記流体シャワー機構に向かう洗浄流体、乾燥流体及び消毒流体のいずれかを選択するコントローラ３０と、コントローラを指令信号を入力する入力部としてのフットスイッチとを具備したことを特徴とする。【選択図】    図１
2005230252.tif 000002
【特許請求の範囲】
【請求項１】
手を挿入する手挿入部及び手挿入部に連通する洗浄消毒室を構成した本体と、
前記本体に設けられ洗浄流体、乾燥流体及び消毒流体を前記洗浄消毒室に向かって選択的に噴出可能な独立もしくは共通の流体シャワー機構と、
前記流体シャワー機構に接続して設けられ洗浄流体を供給する洗浄流体供給路、乾燥流体供給路及び消毒流体供給路と、
前記各供給路を選択的に開閉もしくは切換えて前記流体シャワー機構に向かう洗浄流体、乾燥流体及び消毒流体のいずれかを選択するコントローラと、
前記コントローラを指令信号を入力する入力部と、
を具備したことを特徴とする手の洗浄消毒装置。
【請求項２】
前記手挿入部は、両腕が独立して挿入できる挿入孔と、この挿入孔の内周部に設けられ腕の外周面に密着するシール部を有していることを特徴とする請求項１記載の手の洗浄消毒装置。
【請求項３】
前記手挿入部は、前記本体の前面にスライド式に開閉自在に設けた一対の開閉蓋と、この両開閉蓋の合わせ面にそれぞれ設けられた半円状の切欠部とからなり、前記開閉蓋の合わせ面を合わせたときに、腕が挿入される円形の挿入孔が形成されることを特徴とする請求項１記載の手の洗浄消毒装置。
【請求項４】
前記流体シャワー機構は、前記洗浄消毒室の内周部に設けられ、前記手挿入部と反対方向に向かって開口する多数のノズルを有していることを特徴とする請求項１記載の手の洗浄消毒装置。
【請求項５】
前記入力部は、フットスイッチであることを特徴とする請求項１記載の手の洗浄消毒装置。
【発明の詳細な説明】
【技術分野】
【０００１】
この発明は、例えば、医療機関、食品を取り扱う施設等に設置され、手を挿入するだけで洗浄、消毒できる手の洗浄消毒装置に関する。
【背景技術】
【０００２】
病院等の医療機関においては、医師、看護士等の医療従事者の手洗い励行が厳しく指導されている。例えば、水道水の流水による手洗い後、乾式性のアルコール消毒等が実施されている。しかし、ＭＲＳＡ、ＢＲＥ、結核菌等の院内感染が後を絶たない。
【０００３】
これは、手洗い及びアルコール消毒にしても、その実施する時間、方法に個人差があり、水道水の流水による手洗い後、乾式性のアルコール消毒しても、手洗いが不十分であったり、消毒が不十分のために、医療従事者の感染事故、医療従事者が媒体となって院内感染を起こす虞がある。
【０００４】
また、外食産業、レストランの厨房室等の食品を取り扱う施設においても、関係者の手洗い励行が厳しく指導されているが、その実施する時間、方法に個人差があり、水道水の流水による手洗いを行っても、手洗いが不十分のために、食中毒を起こす虞がある。
【発明の開示】
【発明が解決しようとする課題】
【０００５】
しかしながら、従来においては、手洗い後の乾燥機は市販されているものの、手を洗浄消毒する機器は知られていない。
【０００６】
この発明の目的は、前記事情に着目してなされたもので、その目的とするところは、手を挿入するだけで、手の洗浄、消毒が自動的に行え、医療機関における院内感染、食品を取り扱う施設における食中毒を未然に防止できる手の洗浄消毒装置を提供することにある。
【課題を解決するための手段】
【０００７】
この発明は、前記目的を達成するために、請求項１は、手を挿入する手挿入部及び手挿入部に連通する洗浄消毒室を構成した本体と、前記本体に設けられ洗浄流体、乾燥流体及び消毒流体を前記洗浄消毒室に向かって選択的に噴出可能な独立もしくは共通の流体シャワー機構と、前記流体シャワー機構に接続して設けられ洗浄流体を供給する洗浄流体供給路、乾燥流体供給路及び消毒流体供給路と、前記各供給路を選択的に開閉もしくは切換えて前記流体シャワー機構に向かう洗浄流体、乾燥流体及び消毒流体のいずれかを選択するコントローラと、前記コントローラを指令信号を入力する入力部とを具備したことを特徴とする手の洗浄消毒装置にある。
【０００８】
請求項２は、請求項１の前記手挿入部は、両腕が独立して挿入できる挿入孔と、この挿入孔の内周部に設けられ腕の外周面に密着するシール部を有していることを特徴とする。
【０００９】
請求項３は、請求項１の前記手挿入部は、前記本体の前面にスライド式に開閉自在に設けた一対の開閉蓋と、この両開閉蓋の合わせ面にそれぞれ設けられた半円状の切欠部とからなり、前記開閉蓋の合わせ面を合わせたときに、腕が挿入される円形の挿入孔が形成されることを特徴とする。
【００１０】
請求項４は、請求項１の前記流体シャワー機構は、前記洗浄消毒室の内周部に設けられ、前記手挿入部と反対方向に向かって開口する多数のノズルを有していることを特徴とする。
【００１１】
請求項５は、請求項１の前記入力部は、フットスイッチであることを特徴とする。
【発明の効果】
【００１２】
この発明によれば、手を挿入するだけで、手の洗浄、乾燥、消毒が連続的に短時間に自動的に行うことができ、医療機関や食品を取り扱う施設に設置することにより、医療機関における院内感染、食品を取り扱う施設における食中毒を未然に防止できるという効果がある。
【発明を実施するための最良の形態】
【００１３】
以下、この発明の実施の形態を図面に基づいて説明する。
【００１４】
図１〜図３は第１の実施形態を示し、図１は手の洗浄消毒装置の縦断平面図、図２は同じく縦断側面図、図３は同じく斜視図である。本実施形態は、例えば医療機関等に設置される手の洗浄消毒装置を示し、本体１１は、矩形箱状に構成され、前面１１ａ、背面１１ｂ、上下面１１ｃ,１１ｄ及び両側面１１ｅ，１１ｆを備えている。
【００１５】
本体１１の前面１１ａには左右の手Ｌ，Ｒを独立して挿入することができる円形状の開口からなる手挿入部１２が左右に隣接して設けられている。本体１１の内部には手挿入部１２に連通する空間からなる洗浄消毒室１３が設けられている。手挿入部１２の内周面にはゴム、合成樹脂シートからなり、十字状のスリットを有したシール材１４が装着され、手挿入部１２から洗浄消毒室１３まで手Ｌ，Ｒを挿入したとき、手首あるいは腕が手挿入部１２に位置するため、シール材１４が手首あるいは腕に密着するようになっている。
【００１６】
本体１１の内部の洗浄消毒室１３は密閉された水密構造であり、その内周面に沿って流体シャワー機構１５が設けられている。この流体シャワー機構１５について説明すると、洗浄消毒室１３の最も奥部には円環状のヘッダー１６が設けられている。このヘッダー１６には例えば２本の幹管１７ａ，１７ｂの一端部が接続されている。一方の幹管１７ａは洗浄消毒室１３の上面１１ｃに沿って前面１１ａ近傍まで延長され、他方の幹管１７ｂは洗浄消毒室１３の下面１１ｄに沿って前面１１ａ近傍まで延長されている。さらに、両幹管１７ａ，１７ｂの中途部には洗浄消毒室１３の内周面に沿って複数の環状のノズル管１８が洗浄消毒室１３の前後方向に所定間隔を存して配置されている。これらノズル管１８は両幹管１７ａ，１７ｂと連通しているとともに、前記手挿入部１２と反対方向で、しかも洗浄消毒室１３の中央部に向かって開口する多数のノズル１９が設けられている。このノズル１９は洗浄流体としての洗浄水、乾燥流体としての温風及び消毒流体としてのアルコール噴霧を噴出可能である。
【００１７】
また、本体１１の背面１１ｂ側の外部には機械室２０が設けられ、この機械室２０には温風を発生する温風発生機器２１及びアルコール噴霧機器２２が設けられている。温風発生機器２１は第１のバルブ２３を有する乾燥流体供給路２４を介して流体シャワー機構１５のヘッダー１６に接続され、アルコール噴霧機器２２は第２のバルブ２５を有する消毒流体供給路２６を介して流体シャワー機構１５のヘッダー１６に接続されている。さらに、流体シャワー機構１５のヘッダー１６には水道水等の洗浄流体供給路２７が接続され、この洗浄流体供給路２７の途中には第３のバルブ２８が設けられている。また、洗浄消毒室１３の底部には排水口２９が設けられている。
【００１８】
前記温風発生機器２１、アルコール噴霧機器２２及び第１〜第３のバルブ２３，２５，２８は機械室２０に設けられたコントローラ３０に電気的に接続され、コントローラ３０からの指令によって温風発生機器２１及びアルコール噴霧機器２２の温度調節、吐出量及び第１〜第３のバルブ２３，２５，２８の開閉制御が行われるようになっている。
【００１９】
コントローラ３０には電気コード３１を介して入力部としてのフットスイッチ３２が設けられている。このフットスイッチ３２には洗浄、乾燥及び消毒の選択スイッチ、温風発生機器２１及びアルコール噴霧機器２２の温度調節及び吐出量調節及び第１〜第３のバルブ２３，２５，２８の開閉スイッチ等が設けられている。
【００２０】
次に、前述のように構成された手の洗浄消毒装置の作用について説明する。
【００２１】
まず、手を洗浄した後、乾燥し、次に手を消毒する場合について説明する。左右の手Ｒ、Ｌを手挿入部１２から洗浄消毒室１３に挿入すると、手首あるいは腕に手挿入部１２のシール材１４が密着する。フットスイッチ３２によって第３のバルブ２８を開放すると、水道水は洗浄流体供給路２７を介して流体シャワー機構１５のヘッダー１６に供給される。ヘッダー１６に供給された水道水は両幹管１７ａ，１７ｂを介してノズル管１８に導かれ、多数のノズル１９から手Ｒ、Ｌに向って吹き付けられる。従って、汚染された手Ｒ、Ｌは水道水によって洗い落とされ、汚染された水道水は排水口２９から排水される。
【００２２】
次に、フットスイッチ３２によって第３のバルブ２８を閉塞し、第１のバルブ２３を開放すると、温風発生機器２１から温風が乾燥流体供給路２４を介して流体シャワー機構１５のヘッダー１６に供給される。ヘッダー１６に供給された温風は両幹管１７ａ，１７ｂを介してノズル管１８に導かれ、多数のノズル１９から手Ｒ、Ｌに向って温風が吹き付けられる。従って、洗浄された手Ｒ、Ｌは温風によって乾燥される。
【００２３】
次に、フットスイッチ３２によって第１のバルブ２３を閉塞し、第２のバルブ２５を開放すると、アルコール噴霧機器２２から噴霧状のアルコールが消毒流体供給路２６を介して流体シャワー機構１５のヘッダー１６に供給される。ヘッダー１６に供給された噴霧状のアルコールは両幹管１７ａ，１７ｂを介してノズル管１８に導かれ、多数のノズル１９から手Ｒ、Ｌに向って噴霧状のアルコールが吹き付けられる。従って、洗浄・乾燥された手Ｒ、Ｌは噴霧状のアルコールによって消毒される。
【００２４】
従って、洗浄・消毒しようとする左右の手Ｒ、Ｌを手挿入部１２から洗浄消毒室１３に挿入し、フットスイッチ３２によって第１〜第３のバルブ２３，２５，２８の開閉スイッチを操作するだけで、短時間に洗浄・消毒できる。また、このとき、温風発生機器２１及びアルコール噴霧機器２２の温度調節及び吐出量調節もフットスイッチ３２によって制御できる。
【００２５】
また、ノズル管１８のノズル１９から噴射する洗浄水、温風、噴霧状のアルコールは、手挿入部１２と反対方向で、しかも洗浄消毒室１３の中央部に向かって開口しているため、手挿入部１２方向に向うこともなく、またシール材１４によってシールされているため、衣服を濡らすこともない。
【００２６】
なお、医療機関等に設置される手の洗浄消毒装置を想定してアルコール噴霧による消毒まで行ったが、食品を取り扱う施設においては、洗浄・乾燥までで止めてもよい。また、水道水によって洗浄する場合について説明したが、電解水、純水を用いてもよい。また、温風乾燥工程で、滅菌フィルターを通して空気を温め、急速乾燥するようにしてもよい。
【００２７】
さらに、フットスイッチ３２によってバルブの切換えを行うようにしたが、洗浄・消毒しようとする左右の手Ｒ、Ｌを手挿入部１２から洗浄消毒室１３に挿入したとき、その手Ｒ、Ｌを光センサ等によって感知し、洗浄・乾燥・消毒が自動的に行えるようにしてもよく、音声認識機能を備え、音声によってコントローラ３０に入力するようにしてもよい。
【００２８】
図４及び図５は第２の実施形態を示し、図４は本体の正面図、図５（ａ）は手挿入部の正面図、（ｂ）はＡ−Ａ線に沿う断面図である。本体１１の前面１１ａには上下スライド式に開閉自在な開閉蓋３５が設けられている。開閉蓋３５は、下部に位置する固定蓋３６と、上部に位置し、上下動可能な可動蓋３７とから構成され、可動蓋３７は例えばエアシリンダ３８によって上下動するようになっている。固定蓋３６と可動蓋３７との合わせ面３６ａ，３７ａにはそれぞれ設けられた半円状の切欠部３９，４０が設けられている。そして、開閉蓋３５の合わせ面３６ａ，３７ａを合わせたとき（閉じたとき）に、腕が挿入される円形の手挿入孔４１が形成されるようになっている。
【００２９】
切欠部３９，４０の内周部には圧縮空気によって膨張したバルーン状のシール材４２が装着されている。従って、可動蓋３７を上方へ移動させた状態で、左右の手Ｒ、Ｌを手挿入部４２から洗浄消毒室１３に挿入すると、手首あるいは腕が切欠部３９，４０に位置する。次に、フットスイッチ３２を操作してエアシリンダ３８によって可動蓋３７を下降させ、開閉蓋３５の合わせ面３６ａ，３７ａを合わせると、手首あるいは腕が手挿入孔４１に挿入された状態となり、同時にバルーン状のシール材４２によって手首あるいは腕がシールされる。従って、洗浄時に洗浄液が飛散しても、衣服を濡らすことなく、洗浄・消毒できる。
【００３０】
なお、手挿入部４１に設けたシール材４２の構造は、予め圧縮空気によって膨張したバルーン状のシール材４２に限定されず、手首あるいは腕を手挿入孔４１に挿入したことを感知してシール材に圧縮空気が供給されるようにしてもよく、その構造も限定されるものではない。
【００３１】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組合わせてもよい。
【図面の簡単な説明】
【００３２】
【図１】この発明の第１の実施形態を示し、手の洗浄消毒装置の縦断平面図。
【図２】同実施形態の縦断側面図。
【図３】同実施形態の斜視図。
【図４】この発明の第２の実施形態を示し、手の洗浄消毒装置の本体の正面図。
【図５】同実施形態の手挿入部を示し、（ａ）は正面図、（ｂ）はＡ−Ａ線に沿う断面図。
【符号の説明】
【００３３】
１１…本体、１２…手挿入部、１３…洗浄消毒室、１４…シール材、１５…流体シャワー機構、１９…ノズル、２３，２５，２８…バルブ、２４…乾燥流体供給路、２６…消毒流体供給路、２７…洗浄流体供給路、３０…コントローラ、３２…フットスイッチ
【図１】
2005230252.tif 000003
【図２】
2005230252.tif 000004
【図３】
2005230252.tif 000005
【図４】
2005230252.tif 000006
【図５】
2005230252.tif 000007